(57)【要約】【課題】  不正な開封を防止するための封緘帯を備えるねじキャップにおいて、封緘帯は、キャップ本体のわずかな回転のみで、帯体の周方向端部が接続される弱化接続片を確実に破断することにより、不正な開封を判別できるねじキャップを提供すること。【解決手段】  容器本体Ａの口筒部１に螺着されるキャップ本体Ｃと、キャップ本体Ｃの下端に連結部１９を介して一体に連結される封緘帯Ｄとを備え、容器本体Ａの口筒部１は、外周に形成される係止突条４と、係止突条４下面から突設される押出リブ５とを備え、封緘帯Ｄは、連結部１９から周方向に延び、周方向端部２１ａ，２１ｂが破断可能な弱化接続片２０により接続される環状の帯体２１と、帯体２１の内周下部に形成され、容器本体Ａの口筒部１外周の係止突条４下面と係合する係止爪片２３とを備えることを特徴とする。【選択図】  図１
2019043602.tif 000002
【特許請求の範囲】
【請求項１】
容器本体の口筒部に螺着されるキャップ本体と、キャップ本体の下端に連結部を介して一体に連結される封緘帯とを備え、
容器本体の口筒部は、外周に形成される係止突条と、係止突条下面から突設される押出リブとを備え、
封緘帯は、連結部から周方向に延び、周方向端部が破断可能な弱化接続片により接続される環状の帯体と、帯体の内周下部に形成され、容器本体の口筒部外周の係止突条下面と係合する係止爪片とを備えることを特徴とする、ねじキャップ。
【請求項２】
帯体は、キャップ本体の周方向に間隔をおいて連結される複数の連結部から螺脱方向に延び、
それぞれ隣り合う帯体の周方向端部は、弱化接続片を介して接続されることを特徴とする請求項１に記載のねじキャップ。
【請求項３】
帯体は、連結部から周方向に離れた上端に、キャップ本体の下端と近接するスペーサー凸部を備えることを特徴とする請求項１または２に記載のねじキャップ。
【請求項４】
係止爪片は、帯体の連結部から周方向に離れた内周下部に形成されることを特徴とする請求項１〜３のいずれかに記載のねじキャップ。
【請求項５】
帯体は、連結部と隣接して形成される薄肉変形部を備えることを特徴とする請求項１〜４のいずれかに記載のねじキャップ。
【請求項６】
係止爪片は、突出面が、帯体の連結部から周方向に離れた端部から螺合方向に向けて所定の突出量で推移した後、緩やかに突出量が減少するように形成されることを特徴とする請求項１〜５のいずれかに記載のねじキャップ。
【発明の詳細な説明】
【技術分野】
【０００１】
本発明は、容器の口筒部に螺着するねじキャップに関し、とくに、不正な開封を防止するための封緘帯を備えるねじキャップに関するものである。 
【背景技術】
【０００２】
タンパーエビデンス機能を有するねじキャップとして、容器本体の口筒部に螺着されるキャップ本体の下端に、複数の細い弱化連結片を介して、口筒部外周の係止突条に抜け出し不能に係止する封緘帯を連結した不正開封を防止する封緘付きねじキャップが、従来から広く使用されている。
この種のねじキャップは、開封時に、容器本体の口筒部から螺脱されるにしたがって、弱化連結片が破断され、口筒部の下部に残る封緘帯と、開蓋されるキャップ本体とに分離され、これにより、ねじキャップが開蓋されたことを判別できるが、封緘帯を容器本体の口筒部から取り外せないという問題があった。
【０００３】
この問題を解決するために、開蓋時のキャップの回転により、まず、キャップ本体と封緘帯を連結している弱化片を切断し、次に、リング状の封緘帯が変形し、封緘帯の帯体の両端部を連結する弱化部が切断され、帯状となり、連結弱化片を介して封緘帯をキャップ本体に連設したまま容器本体からキャップを外すことができる封緘付きねじキャップは、従来から知られている（例えば、特許文献１参照）。
【先行技術文献】
【特許文献】
【０００４】
【特許文献１】特開２０１３−１０５５４号公報
【発明の概要】
【発明が解決しようとする課題】
【０００５】
上記特許文献１記載の封緘付きねじキャップは、連結弱化片を介して封緘帯をキャップ本体に連設したまま容器本体からねじキャップを外すことができるので、内容物を一回だけ使用する使い切りタイプの容器のねじキャップとして適しているが、開蓋する際に、キャップ本体Ｂ１が上昇していくと、封緘帯Ｂ２の帯体１４の端部１４ａ付近以外が係合爪片１８の係合により上昇を阻止されているので、キャップ本体Ｂ１および封緘帯Ｂ２の帯体１４の端部１４ａ付近が上昇し、帯体１４の端部１４ａと端部１４ｂとの高さの差が大きくなり、帯体１４の端部１４ａと端部１４ｂとを連設する弱化部１５が破断される構造であるため、キャップ本体Ｂ１を少し回転しただけでは、キャップ本体Ｂ１と封緘帯Ｂ２とを連設する弱化片１６の一部が破断されるだけで、帯体１４の端部同士を連結する弱化部１５が破断され難いという問題があった。
【０００６】
本発明は、上記問題を解決することを課題とし、不正な開封を防止するための封緘帯を備えるねじキャップにおいて、封緘帯は、キャップ本体のわずかな回転のみで、帯体の周方向端部が接続される弱化接続片を確実に破断することにより、不正な開封を判別できるねじキャップを提供することを目的とする。
【課題を解決するための手段】
【０００７】
本発明は、上記の課題を解決するため、ねじキャップとして、容器本体の口筒部に螺着されるキャップ本体と、キャップ本体の下端に連結部を介して一体に連結される封緘帯とを備え、容器本体の口筒部は、外周に形成される係止突条と、係止突条下面から突設される押出リブとを備え、封緘帯は、連結部から周方向に延び、周方向端部が破断可能な弱化接続片により接続される環状の帯体と、帯体の内周下部に形成され、容器本体の口筒部外周の係止突条下面と係合する係止爪片とを備えることを特徴とする構成を採用する。
【０００８】
本発明のねじキャップにおける封緘帯の実施形態として、帯体は、キャップ本体の周方向に間隔をおいて連結される複数の連結部から螺脱方向に延び、それぞれ隣り合う帯体の周方向端部は、弱化接続片を介して接続されることを特徴とする構成を採用し、また、帯体は、連結部から周方向に離れた上端に、キャップ本体の下端と近接するスペーサー凸部を備えることを特徴とする構成を採用し、また、係止爪片は、帯体の連結部から周方向に離れた内周下部に形成されることを特徴とする構成を採用し、また、帯体は、連結部と隣接して形成される薄肉変形部を備えることを特徴とする構成を採用し、また、係止爪片は、突出面が、帯体の連結部から周方向に離れた端部から螺合方向に向けて所定の突出量で推移した後、緩やかに突出量が減少するように形成されることを特徴とする構成を採用する。
【発明の効果】
【０００９】
本発明のねじキャップでは、容器本体の口筒部は、外周に形成される係止突条と、係止突条下面から径方向に突設される押出リブとを備え、封緘帯は、連結部から周方向に延び、周方向端部が破断可能な弱化接続片により接続される環状の帯体と、帯体の内周下部に形成され、容器本体の口筒部外周の係止突条下面と係合する係止爪片とを備えるので、封緘帯は、キャップ本体のわずかな回転のみで、帯体の周方向端部が接続される弱化接続片を確実に破断し、帯体を外方に拡げることにより、不正開封を簡単に視認できる。
【００１０】
また、本発明のねじキャップでは、帯体は、キャップ本体の周方向に間隔をおいて連結される複数の連結部から螺脱方向に延び、それぞれ隣り合う帯体の周方向端部は、弱化接続片を介して接続されるから、開封時には、キャップ本体の回転にともなって、封緘帯は、帯体の係止爪片が押出リブに衝突することにより、弱化接続片が破断し、帯体は、連結部を支点にして螺脱方向側端部が外側に変形するようになっているから、開封時に大きな負荷がかかることがない。
【図面の簡単な説明】
【００１１】
【図１】本発明の実施例であるねじキャップを容器本体に螺着した状態を示す図であり、（ａ）は側面半断面図であり、（ｂ）は（ａ）のＸ−Ｘ矢視断面図である。
【図２】本発明の実施例であるねじキャップを示す図であり、（ａ）は斜視図、（ｂ）は図１（ａ）の部分拡大図である。
【図３】本発明の実施例であるねじキャップの開封を開始した状態を示す図であり、（ａ）は図１（ａ）のＸ−Ｘ矢視断面図、（ｂ）は（ａ）の部分拡大図である。
【図４】本発明の実施例であるねじキャップを開封した状態を示す斜視図である。
【発明を実施するための形態】
【００１２】
本発明のねじキャップについて、実施例を挙げ、図面を参照して説明する。
【実施例】
【００１３】
図１において、Ａは容器本体、Ｂは容器本体Ａの口筒部１に螺着されるねじキャップ、ＰはねじキャップＢとともに容器本体Ａを密封するパッキン部材である。
なお、以下の説明において、図１（ａ）でみて、左右方向を「径方向」とし、上方向を「上」とし、下方向を「下」とする。
【００１４】
図１（ａ）に示すように、容器本体Ａは、上部に形成される円筒状の口筒部１と、口筒部１から下方に連続する肩部２と胴部（図示しない）とを備える。
口筒部１の外周には、上部に雄ねじ部３が螺設され、雄ねじ部３の下方に、雄ねじ部３のねじ山頂部より径の大きい係止突条としてのネックリング４が形成される。
図１（ｂ）および図２（ｂ）に示すように、ネックリング４の下面には、周方向に等間隔で４箇所に配置され、下方へ突出する押出リブ５が形成される。押出リブ５は、外周面５ａがネックリング４の外周と面一（同径）で、外周面５ａから滑らかに連続する側面５ｂが径方向に形成される。
本実施例では、  押出リブ５は、周方向に等間隔で４箇所に配置されているが、押出リブ５は、ねじキャップＢの開封時に封緘帯Ｄを破断する際の負荷を分散するために、等間隔でなくてもよい。
【００１５】
図１および図２に示すように、ねじキャップＢは、容器本体Ａの口筒部１に螺着されるキャップ本体Ｃと、キャップ本体Ｃの下端に連結部１９を介して一体に連結される封緘帯Ｄとを備える。
【００１６】
キャップ本体Ｃは、天面を形成する円板状の頂壁１０と、頂壁１０の周縁から垂設される円筒状の外周壁１１とを備える。
外周壁１１の外周には、滑り止めのために、複数のローレット等を設けてもよい。
外周壁１１の内周には、中央部に、容器本体Ａの口筒部１の雄ねじ部３に螺合する雌ねじ部１２が螺設され、雌ねじ部１２の上方には、パッキン部材Ｐを保持する保持突部１３が形成される。
【００１７】
外周壁１１の下端面１４には、破断可能に形成される細い弱化連結片１８が周方向に４箇所設けられ、同様に、下端面１４に設けられる４箇所の連結部１９とともに、封緘帯Ｄと連結している。
本実施例では、外周壁１１の下端面１４と封緘帯Ｄとを連結する弱化連結片１８が設けられているが、弱化連結片１８は、ねじキャップＢの開封時に封緘帯Ｄを破断する際の負荷を軽減するために、設けなくても構わない。
また、連結部１９は、図１に示すように、弱化連結片１８よりも幅広で強度が高く、開封時に破断しない強度に設定されている。
【００１８】
封緘帯Ｄは、図１（ｂ）に示すように、キャップ本体Ｃの周方向に等間隔で設けられる４箇所の連結部１９を起点として、螺脱方向にそれぞれ延び、各々の周方向端部である螺脱方向側端部２１ａと螺合方向側端部２１ｂとが破断可能な細い弱化接続片２０により接続されている。
すなわち、封緘帯Ｄは、連結部１９から螺脱方向に延び、それぞれ隣り合う周方向端部である螺脱方向側端部２１ａと螺合方向側端部２１ｂが破断可能な弱化接続片２０により接続される環状の帯体２１からなり、各帯体２１は、図２（ａ）に示す側面視で、連結部１９と連続するＬ字状をなしている。
本実施例では、連結部１９および帯体２１は、４箇所設けられているが、ねじキャップＢの口径に応じて２〜４箇所設けるのが好ましい。
【００１９】
図１（ｂ）および図２（ａ）に示すように、各帯体２１には、連結部１９と隣接して上下方向に薄肉変形部２２がそれぞれ形成され、弱化接続片２０が破断した際に、帯体２１の螺脱方向側端部２１ａを外方へ変形し易くしている。
さらに、各帯体２１の連結部１９から周方向に離れた螺脱方向側端部２１ａの内周下部には、容器本体Ａの口筒部１の外周に設けられるネックリング４の下面と係合する係止爪片２３がそれぞれ突設される。
【００２０】
係止爪片２３は、図２（ｂ）に示す断面をみると、上面２３ａが水平で、下面２３ｂが内方に向けて斜め上方に傾斜することにより、キャップ本体Ｃとともに封緘帯Ｄを容器本体Ａの口筒部１に螺着するとき、係止爪片２３は、下面２３ｂがネックリング４の外周を乗り越えた後、上面２３ａがネックリング４の下面に係合するようになっている。
さらに、図１（ｂ）に示すように、係止爪片２３の突出面２３ｃは、帯体２１の螺脱方向側端部２１ａから螺合方向に向けて所定の突出量で推移した後、緩やかに突出量が減少するように形成される。
【００２１】
図１（ａ）および図２（ａ）に示すように、各帯体２１の上端には、外周壁１１の下端面１４と近接するスペーサー凸部２４が形成され、キャップ本体Ｃとともに封緘帯Ｄを容器本体Ａの口筒部１に螺着するとき、封緘帯Ｄが下方から押圧力を受けることにより、弱化接続片２０が緊張して破断しないように、外周壁１１の下端面１４と帯体２１との間隔を保持している。
このために、スペーサー凸部２４は、キャップ本体Ｃと封緘帯Ｄとを連結する連結部１９から周方向に離れた帯体２１の螺脱方向側端部２１ａ側の上端に形成される。
【００２２】
次に、本実施例の使用態様と作用効果について説明する。
本実施例のねじキャップＢを容器本体Ａの口筒部１に螺着するには、まず、一体成型により製造されるねじキャップＢを構成するキャップ本体Ｃの頂壁１０の下面にパッキン部材Ｐを装着してねじキャップＢを完成させる。その際に、外周壁１１の内周に形成される保持突部１３は、パッキン部材Ｐがキャップ本体Ｃから脱落しないようにパッキン部材Ｐの周囲を保持する。
【００２３】
その後、図１に示すように、キャップ本体Ｃの雌ねじ部１２を内容物が充填された容器本体Ａの口筒部１に形成される雄ねじ部３に螺合し、キャップ本体Ｃを螺合方向に回転させると、封緘帯Ｄは、弱化連結片１８および連結部１９によりキャップ本体Ｃに連結され、キャップ本体Ｃと封緘帯Ｄとの間隔が保持されているので、封緘帯Ｄは、キャップ本体Ｃとともに下降する。
この際に、帯体２１の内周下部から突設される係止爪片２３は、口筒部１の雄ねじ部３のねじ山頂部に接触することがない。
【００２４】
キャップ本体Ｃが所定高さまで下降すると、封緘帯Ｄの内周下部に突設される係止爪片２３は、口筒部１のネックリング４と接するようになり、さらにキャップ本体Ｃを螺合していくと、係止爪片２３は、内方に向けて斜め上方に傾斜する下面２３ｂがネックリング４の外周を乗り越えることができる。
さらに、キャップ本体Ｃを螺合していくと、係止爪片２３は、突出面２３ｃがネックリング４の下面から突設される押出リブ５の外周面５ａを乗り越えるとともに、上面２３ａがネックリング４の下面と係合し、ねじキャップＢの容器本体Ａへの螺着が完了する。
この際に、ねじキャップＢが螺着された口筒部１の上面は、キャップ本体Ｃの頂壁１０下面に装着されるパッキン部材Ｐと当接することにより、容器本体Ａ内部が密封される。
【００２５】
ねじキャップＢの容器本体Ａへの螺着が完了すると、ねじキャップＢの開封前に、不正にキャップ本体Ｃが開封されると、後述するように、ねじキャップＢは、封緘帯Ｄとキャップ本体Ｃを連結する弱化連結片１８と、封緘帯Ｄの帯体２１を接続する弱化接続片２０とが破断し、図４に示すように、帯体２１の螺脱方向側端部２１ａが外側に変形して拡がり、ねじキャップＢの不正開封を視認（判別）することができる。
【００２６】
本実施例のねじキャップＢが螺着された容器本体Ａを初めて開封するときの態様について説明する。
キャップ本体Ｃの外周壁１１に指を掛けて螺脱方向に回転を開始すると、図３に示すように、キャップ本体Ｃに連結される封緘帯Ｄも同時に回転を開始し、帯体２１の係止爪片２３は、口筒部１に形成されるネックリング４の下面に係合しながら、突出面２３ｃがネックリング４の下面から突設される押出リブ５の側面５ｂと衝突して弱化接続片２０が破断し、帯体２１の螺脱方向側端部２１ａは、薄肉変形部２２を支点として外方へ押し拡げられる。
また、外周壁１１の下端面１４と帯体２１の上端とを連結する弱化連結片１８は、連結する箇所や太さを調整することにより、係止爪片２３がネックリング４の下面に係合した状態で、上下方向に引っ張られて破断してもよいし、弱化接続片２０の破断とほぼ同時または破断後に切れるように設定されていてもよい。
【００２７】
４箇所の弱化接続片２０が破断して、帯体２１の螺脱方向側端部２１ａが外方へ拡がると、係止爪片２３とネックリング４との係合も解除されるので、以後は、帯状になった封緘帯Ｄを連結部１９によって連結したままキャップ本体Ｃを回転して、開封し、キャップ本体Ｃは、封緘帯Ｄと連結した状態で容器本体Ａから分離することができる。
ねじキャップＢが開封された容器本体Ａをいずれかの方向に傾ければ、容器本体Ａ内に充填される内容物は、肩部２を通って口筒部１に案内され、全量を注出することができる。
【産業上の利用可能性】
【００２８】
本発明のねじキャップは、不正な開封を視認（判別）することができるとともに、開封する際に、ねじキャップのわずかな回転のみで、封緘帯の帯体の周方向端部が接続される弱化接続片を確実に破断できるので、内容物を一回だけ使用する使い切りタイプの容器などに使用する封緘帯付きのねじキャップとして広く利用することができる。
【符号の説明】
【００２９】
Ａ            容器本体
Ｂ            ねじキャップ
Ｃ            キャップ本体
Ｄ            封緘帯
Ｐ            パッキン部材
１            口筒部
２            肩部
３            雄ねじ部
４            ネックリング（係止突条）
５            押出リブ
５ａ          外周面
５ｂ          側面
１０            頂壁
１１            外周壁
１２            雌ねじ部
１３            保持突部
１４            下端面
１８            弱化連結片
１９            連結部
２０            弱化接続片
２１            帯体
２１ａ          螺脱方向側端部
２１ｂ          螺合方向側端部
２２            薄肉変形部
２３            係止爪片
２３ａ          上面
２３ｂ          下面
２３ｃ          突出面
２４            スペーサー凸部
【図１】
2019043602.tif 000003
【図２】
2019043602.tif 000004
【図３】
2019043602.tif 000005
【図４】
2019043602.tif 000006